(57)【要約】【課題】電子機器の筐体に表示デバイスを保持するための、表示デバイス保持体において、表示デバイスや保護窓に強い外力が加えられても表示デバイスの破損を確実に防止する。【解決手段】電子機器の筐体９に固定された第１の枠体６と、第１の枠体６の内側に配置される第２の枠体７とを備える。そして、第１の枠体６の内側における第１の枠体の上端部と筐体６との間の空間に、第２の枠体７によって保持される表示デバイス５１を配置する。また、第１の枠体６の上方に第１の空隙１０２を介してカバー部材１１が取り付けられる。カバー部材１１は、筐体９との間に第２の空隙１０１が形成されるように筐体９へ向けて延設された第１の延出部１２を有する。また、第２の枠体７と筐体９との間に、弾性部材８を設けた。表示デバイス５１を第１の枠体６と第２の枠体７と筐体９とで保持するため、高い強度で表示デバイス５１の保持が可能となる。【選択図】図２
2009042641.tif 000002
【特許請求の範囲】
【請求項１】
筐体と、
表示デバイスを前記筐体に保持する第１の保持部材と、
前記表示デバイスの表示面を露出させるための開口部が形成され、前記筐体に保持される前記表示デバイスを覆うカバー部材とを有し、
前記開口部と第１の保持部材との空隙が前記延出部と前記筐体との空隙よりも大きくなるように設定されていることを特徴とする電子機器。
【請求項２】
筐体と、
表示デバイスを前記筐体に保持する第１の保持部材と、
前記表示デバイスの表示面を露出させるための開口部が形成され、前記筐体に保持される前記表示デバイスを覆うカバー部材とを有し、
前記開口部と前記第１の保持部材との空隙が前記延出部と前記第１の保持部材との空隙よりも大きくなるように設定されていることを特徴とする電子機器。
【請求項３】
筐体と、
表示デバイスを前記筐体に保持する第１の保持部材と、
前記表示デバイスの表示面に対応する窓部と前記筐体に向けて延出される延出部とが形成され、前記筐体に保持される前記表示デバイスを覆う窓部材とを有し、
前記窓部と第１の保持部材との空隙が前記延出部と前記筐体との空隙よりも大きくなるように設定されていることを特徴とする電子機器。
【請求項４】
筐体と、
表示デバイスを前記筐体に保持する第１の保持部材と、
前記表示デバイスの表示面を露出させるための開口部が形成され、前記筐体に保持される前記表示デバイスを覆うカバー部材とを有し、
前記開口部と前記第１の保持部材との空隙が減少する方向の外力を前記カバー部材に与えた場合に、前記開口部と前記第１の保持部材が接触するよりも前に前記カバー部材が前記筐体と接触する接触部を前記カバー部材に形成することを特徴とする電子機器。
【請求項５】
筐体と、
表示デバイスを前記筐体に保持する第１の保持部材と、
前記表示デバイスの表示面を露出させるための開口部が形成され、前記筐体に保持される前記表示デバイスを覆うカバー部材とを有し、
前記開口部と前記第１の保持部材との空隙が減少する方向の外力を前記カバー部材に与えた場合に、前記開口部と前記第１の保持部材が接触するよりも前に前記カバー部材が前記第１の保持部材と接触する接触部を前記カバー部材に形成することを特徴とする電子機器。
【請求項６】
筐体と、
表示デバイスを前記筐体に保持する第１の保持部材と、
前記表示デバイスの表示面に対応する窓部が形成され、前記筐体に保持される前記表示デバイスを覆う窓部材とを有し、
前記開口部と前記第１の保持部材との空隙が減少する方向の外力を前記窓部材に与えた場合に、前記開口部と前記第１の保持部材が接触するよりも前に前記窓部材が前記第１の保持部材と接触する接触部を前記窓部材に形成することを特徴とする電子機器。
【請求項７】
前記表示デバイスの底面および周面を保持する第２の保持部材と、
第２の保持部材に保持される前記表示デバイスと筐体との間に配置される弾性部材とを有することを特徴とする請求項１乃至６のいずれか１項に記載の電子機器。
【請求項８】
前記第１の保持部材は前記表示デバイスの周面を保持する前記第２の保持部材に重なる端部が形成される請求項７に記載の電子機器。
【発明の詳細な説明】
【技術分野】
【０００１】
本発明は、電子機器に関するもので、特に表示デバイスを保持する電子機器に関する。
【背景技術】
【０００２】
近年のデジタルカメラ等の電子機器には、液晶装置など表示デバイスが搭載されることが多い。このような表示デバイスを電子機器の筐体に保持するための保持体の構造に関しては、従来より様々な提案がなされている（例えば、特許文献１参照）。
【０００３】
図６は、上記特許文献１に開示された従来の電子機器における表示デバイスの保持構造の一例を示す断面図である。
【０００４】
この保持構造では、図６に示すように、ＬＣＤパネルから成る表示デバイス８１を保持するフレーム（枠体）８２の高さを、表示デバイス８１より僅かに高くしている。これにより、電子機器の外装を構成するカバー部材（ボディケース）８３や表示デバイス８１の保護窓（保護カバー）８４に対して外力が加えられた時に、表示デバイス８１の破損を防いでいる。
【特許文献１】特開２００６−２５１２４１号公報
【発明の開示】
【発明が解決しようとする課題】
【０００５】
しかしながら、上記特許文献１の構成では、次のような問題点があった。
【０００６】
（１）カバー部材８３や保護窓８４に対して、より大きな外力が加えられたときに、枠体８２の強度が高くない場合には枠体８２が変形して、枠体８２が表示デバイス８１と干渉して表示デバイス８１を破損する可能性がある。
【０００７】
（２）また、保護窓８４が設けられない電子機器では、表示デバイス８１の破損防止効果が少ないという問題もあった。
【０００８】
本発明は上記従来の問題点に鑑み、表示デバイスや保護窓に強い外力が加えられても表示デバイスの破損を防止することができる表示デバイス保持体を提供することを目的とする。
【課題を解決するための手段】
【０００９】
本発明は上記目的を達成するため、本発明の電子機器は、筐体と、表示デバイスを前記筐体に保持する第１の保持部材と、前記表示デバイスの表示面を露出させるための開口部が形成され、前記筐体に保持される前記表示デバイスを覆うカバー部材とを有し、前記開口部と第１の保持部材との空隙が前記延出部と前記筐体との空隙よりも大きくなるように設定されていることを特徴とする。
【００１０】
本発明の電子機器は、筐体と、表示デバイスを前記筐体に保持する第１の保持部材と、前記表示デバイスの表示面に対応する窓部と前記筐体に向けて延出される延出部とが形成され、前記筐体に保持される前記表示デバイスを覆う窓部材とを有し、前記窓部と第１の保持部材との空隙が前記延出部と前記筐体との空隙よりも大きくなるように設定されていることを特徴とする。
【００１１】
本発明の電子機器は、筐体と、表示デバイスを前記筐体に保持する第１の保持部材と、前記表示デバイスの表示面を露出させるための開口部が形成され、前記筐体に保持される前記表示デバイスを覆うカバー部材とを有し、前記開口部と前記第１の保持部材との空隙が減少する方向の外力を前記カバー部材に与えた場合に、前記開口部と前記第１の保持部材が接触するよりも前に前記カバー部材が前記筐体と接触する接触部を前記カバー部材に形成することを特徴とする。
【００１２】
本発明の電子機器は、筐体と、表示デバイスを前記筐体に保持する第１の保持部材と、前記表示デバイスの表示面に対応する窓部が形成され、前記筐体に保持される前記表示デバイスを覆う窓部材とを有し、前記開口部と前記第１の保持部材との空隙が減少する方向の外力を前記窓部材に与えた場合に、前記開口部と前記第１の保持部材が接触するよりも前に前記窓部材が前記第１の保持部材と接触する接触部を前記窓部材に形成することを特徴とする。
【発明の効果】
【００１３】
本発明によれば、カバー部材や窓部材に強い外力が加えられても表示デバイスの破損を防止することが可能になる。
【発明を実施するための最良の形態】
【００１４】
以下、本発明の実施の形態について、図面を参照しながら説明する。
【００１５】
［第１の実施の形態］
＜第１の実施の形態における構造＞
図１は、本発明の第１の実施の形態に係る表示デバイス保持体により保持される表示デバイスを備えた電子機器の背面外観を示す背面斜視図である。また、図２は、第１の実施の形態に係る表示デバイス保持体の構造を示す断面図である。
【００１６】
本実施の形態では、電子装置として、例えば、デジタルカメラ等の撮像装置を適用するものとする。
【００１７】
図１に示すように、この撮像装置は、カバー部材１１によって外装ボディが形成され、裏面側には、液晶パネルの表示面やバックライトを有する表示デバイス５１や、各種の操作部材２１〜２３などが配設されている。図示はしないが、表面側にはレンズ鏡筒などが配設されている。
【００１８】
表示デバイス５１は、図２に示すような構造の表示デバイス保持体によって撮像装置の筐体に取り付けられている。以下、本実施の形態に係る表示デバイス保持構造について、図２を参照して説明する。
【００１９】
この表示デバイス保持構造は、撮像装置の筐体９に固定された第１の枠体６（第１の保持部材）を有している。第１の枠体６は、その内側に略直方体形状の空間が形成され、上部が開口されたフレーム形状を成し、外側に折曲された枠基底部６ａと、枠本体部６ｂと、内側に折曲された枠上端部６ｃとが一体で形成されている。  第２の枠体７（第２の保持部材）は、表示デバイス５１を保持する枠体であって、表示デバイス５１の周面と底面を保持している。表示デバイス５１は表示パネル５１ａとバックライトユニット５１ｂから構成され、第２の枠体７は表示パネル５１ａとバックライトユニット５１ｂとを一体化して保持するものである。第２の枠体７の上端面と表示デバイス５１の上端面とが略同じ高さとなって保持される。
【００２０】
弾性部材８は、第２の枠体７に保持される表示デバイス５１と弾性部材８を筐体９との間に配置される。第１の枠体６は、第２の枠体７に保持される表示デバイス５１と弾性部材８とを筐体９に固定している。このとき、弾性部材８は圧縮された状態で固定されるので、第２の枠体７の底面は図２の−Ｚ方向の付勢力を受ける。これによって第１の枠体６の上端部と第２の枠体７上端部とは当接状態になる。したがって、表示デバイス５１を筐体９に固定する場合、表示デバイス５１の縦横方向（ＸＹ方向）は、第２の枠体７によって位置決めされる。そして、表示デバイス５１の厚さ方向（−Ｚ方向）は、弾性部材８によって第２の枠体７の上端部が第１の枠体６の上端部６ｃに当接されることにより位置決めされる。また、弾性部材８が表示デバイス５１をカバー部材１１側へ付勢することによってカバー部材１１と表示デバイス５１の位置を一定に保つことができる。
【００２１】
上記のように第１の枠体６及び第２の枠体７によって構成される構造体の上部には、第１の枠体６の上端部６ｃとの間に第１の空隙１０２が形成されるように、カバー部材１１が取り付けられている。カバー部材１１は、筐体９との間に第２の空隙１０１が形成されるように筐体９へ向けて延出形成された延出部１２（接触部）と、表示デバイス５１の表示面が外部より視認できるように露出された開口部１３とが形成される。
【００２２】
そして、第１の空隙１０２が第２の空隙１０１よりも大きくなるように構成されている。
【００２３】
＜第１の実施の形態における作用＞
図２において、カバー部材１１の開口部１３近傍に外力が加わった場合、カバー部材１１は図２の＋Ｚ方向に変形する。すなわち、開口部１３と第１の枠体６の上端部６ｃとの第１の空隙１０２が減少していくとともに、延出部１２と筐体９との間の第２の空隙１０１が減少していく。そして、延出部１２が筐体９に当接することで、カバー部材１１に与えられた外力を筐体９で受けることとなる。第１の空隙１０２が第２の空隙１０１よりも大きく設定されているので、延出部１２が筐体９に接触したときにも、開口部１３と第１の枠体６の上端部６ｃとは接触していない。延出部１２が筐体９に接触した状態から、さらにカバー部材１１に外力が与え続けられると、第１の空隙１０２がゼロになって開口部１３と第１の枠体６の上端部６ｃとが接触する。
【００２４】
開口部１３と第１の枠体６の上端部６ｃとが接触しても、第１の枠体６は強度的に優れた材質及び形状から構成されているので、表示デバイス５１の破損を防止できる。第１の枠体６の上端部６ｃが変形するほどの外力が与えられたとしても、第上端部６ｃは第２の枠体７の上端部に接し、第２の枠体７と筐体９との間には弾性部材が８が挟まれているので、上端部６ｃに伝わる外力は第２の枠体７を介して弾性部材８に伝達される。そして、弾性部材８が弾性変形することで外力を吸収する。
【００２５】
したがって、カバー部材１１に過度の外力が与えられたとしても、表示デバイス５１の破損を防止することが可能となる。
【００２６】
＜第１の実施の形態における利点＞
本実施の形態によれば、表示デバイス５１を第１の枠体６と第２の枠体１１と筐体９とで保持するため、高い強度で表示デバイス５１の保持が可能となる。
【００２７】
また、「第２空隙１０１＜第１空隙１０２」の関係になるような構成で表示デバイス５１を保持している。このため、カバー部材１１に外力が加わった場合に、開口部１３が第１の枠体６の上端部６ｃに接触するよりも前に延出部１２を筐体９に接触させて、外力を筐体９に逃がすことができる。
【００２８】
さらに外力が加えられて、開口部１３が第１の枠体６の上端部６ｃに接触して、上端部６ｃに外力が加えられたとしても、第２の枠体７を介して弾性部材８に外力を伝達することができる。したがって、弾性部材８によって外力を吸収することができるので、表示デバイス５１の破損を防ぐことができる。
【００２９】
また、表示デバイス５１に直接外力が加わった場合でも、弾性部材８によって外力を吸収できるので、表示デバイス５１の破損防止ができる。これらによって、カバー部材１１に加えられる外力による、表示デバイス５１の破損を確実に防ぐことができる。
【００３０】
なお、本第１の実施の形態では、カバー部材１１が変形した際に延出部１２が筐体９と当接する例を挙げたが、図３のように、第１の枠体６の枠基底部６ａをより長く延ばすように張り出すことにより、延出部１２が第１の枠体６と当接するように構成しても良い。この場合、延出部１２と第１の枠体６の枠基底部６ａとの間隔を１０１ａとすると、「間隔１０１ａ＜第１空隙１０２」の関係となっている。また、筐体９の代わりにハード基板を用いる構成でも構わない。また、当然これらの組み合わせで構成しても良い。
【００３１】
［第２の実施の形態］
＜第２の実施の形態における構造＞
図４は、本発明の第２の実施の形態に係る表示デバイス保持体により保持される表示デバイスを備えた電子機器の背面外観を示す背面斜視図である。また、図５は、第２の実施の形態に係る表示デバイスの保持構造を示す断面図である。
【００３２】
図４及び図５に示すように、第２の実施の形態における表示デバイスの保持構造は、第１の実施の形態の構造において、表示デバイス５１に対して直接外力が加わることがないように表示デバイス５１を保護するための保護窓３（窓部材）を取り付けたものである。
【００３３】
保護窓３は、表示デバイス５１の表示面に対応する窓部が形成されている。保護窓３は、第１の枠体６の上端部６ｃとの間に第４の空隙１０５が形成されるように、カバー部材１１に接着剤や両面テープなどを用いて取り付けられている。さらに、保護窓３は、筐体９との間に第５の空隙１０６が形成されるように筐体９へ向けて延出形成された延出部３１（接触部）が形成されている。
【００３４】
ここで、第４の空隙１０５は、第５の空隙１０６よりも大きくなるように構成されている。
【００３５】
＜第２の実施の形態における作用＞
図５において、カバー部材１１または保護窓３に外力が加わった場合、カバー部材１１および保護窓３は図５の＋Ｚ方向に変形する。すなわち、保護窓３と第１の枠体６の上端部６ｃとの第４の空隙１０５が減少していくとともに、延出部３１と筐体９との間の第５の空隙１０６が減少していく。そして、延出部３１が筐体９に当接することで、保護窓３に与えられた外力を筐体９で受けることとなる。第４の空隙１０５が第５の空隙１０６よりも大きく設定されているので、延出部３１が筐体９に接触したときにも、保護窓３と第１の枠体６の上端部６ｃとは接触していない。延出部１２が筐体９に接触した状態から、さらに保護窓３に外力が与え続けられると、第４の空隙１０５がゼロになって保護窓３と第１の枠体６の上端部６ｃとが接触する。保護窓３と第１の枠体６の上端部６ｃとが接触しても、第１の枠体６は強度的に優れた材質及び形状から構成されているので、表示デバイス５１の破損を防止できる。第１の枠体６の上端部６ｃが変形するほどの外力が与えられたとしても、上端部６ｃは第２の枠体７の上端部に接し、第２の枠体７と筐体９との間には弾性部材が８が挟まれているので、上端部６ｃに伝わる外力は第２の枠体７を介して弾性部材８に伝達される。そして、弾性部材８が弾性変形することで外力を吸収する。
【００３６】
したがって、保護窓３に過度の外力が与えられたとしても、表示デバイス５１の破損を防止することが可能となる。
【００３７】
＜第２の実施の形態における利点＞
本実施の形態によれば、表示デバイス５１を第１の枠体６と第２の枠体１１と筐体９とで保持するため、高い強度で表示デバイス５１の保持が可能となる。
【００３８】
また、「第５空隙１０６＜第４空隙１０５」の関係になるような構成で表示デバイス５１を保持している。このため、カバー部材１１や保護窓３に外力が加わった場合に、開保護窓３が第１の枠体６の上端部６ｃに接触するよりも前に延出部３１を筐体９に接触させて、外力を筐体９に逃がすことができる。さらに外力が加えられて、保護窓３が第１の枠体６の上端部６ｃに接触して、上端部６ｃに外力が加えられたとしても、第２の枠体７を介して弾性部材８に外力を伝達することができる。したがって、弾性部材８によって外力を吸収することができるので、表示デバイス５１の破損を防ぐことができる。
これに対して、図３で説明したように第１の枠材６の枠基底部６ａをより長く延ばすように構成して、支持部１２や３１を第１の枠材６と当接するようにしても良い。また、筐体９の代わりにハード基板を用いる構成でも構わない。当然これらの組み合わせで構成しても良いことは上記第１の実施の形態と同様である。
【図面の簡単な説明】
【００３９】
【図１】第１の実施の形態に係る表示デバイスを備えた電子機器の背面外観を示す背面斜視図である。
【図２】第１の実施の形態に係る表示デバイスの保持構造を示す断面図である。
【図３】実施の形態に係る変形例を示す断面図である。
【図４】第２の実施の形態に係る表示デバイスを備えた電子機器の背面外観を示す背面斜視図である。
【図５】第２の実施の形態に係る表示デバイスの保持構造を示す断面図である。
【図６】従来の電子機器における表示デバイスの保持構造の一例を示す断面図である。
【符号の説明】
【００４０】
３    保護窓
６    第１の枠体
７    第２の枠体
８    弾性部材
９    筐体
１１  カバー部材
１２  延出部
１３  開口部
３１  延出部
５１  表示デバイス
【図１】
2009042641.tif 000003
【図２】
2009042641.tif 000004
【図３】
2009042641.tif 000005
【図４】
2009042641.tif 000006
【図５】
2009042641.tif 000007
【図６】
2009042641.tif 000008